Podtech/llm-jp-corpus-v4-ja_patent huggingface dataset:
(57)【要約】【課題】掃除機吸い込み口に吸着してしまう布団、衣類、紙などの掃除対象物に付着したペットの毛、毛髪、綿ぼこりなどを吸引力を弱めることなく掃除機吸い込み口に吸着させずに、容易に除去できる掃除対処物吸着防止具を提供する。【解決手段】取り付け金具▲３▼の延長上に掃除対象物押さえガード▲１▼を設け、その内側に沿うように吸着防止ピン▲２▼を設けたことを特徴とする。【選択図】図３
2006280891.tif 000002
【特許請求の範囲】
【請求項１】
一般に市販されてる掃除機に付属している透き間掃除用ノズル▲４▼に取り付けできるよう、コイル状に製作した取り付け金具▲３▼を設け、更に透き間掃除用ノズル吸い込み口先端▲５▼を覆う掃除対象物押さえガード▲１▼を有し、掃除対象物押さえガード▲１▼の内側に沿うように吸着防止ピン▲２▼を設けた掃除対象物吸着防止具である。
【発明の詳細な説明】
【技術分野】
【０００１】  この発明は一般に市販されている掃除機に付属している透き間掃除用ノズルの先端に特殊なガードを取り付けた、吸着しやすい掃除対象物に付着したペットの毛、毛髪、綿ぼこりなどを容易に除去するための掃除機吸い込み口に関するものである。
【背景技術】
【０００２】  従来は吸い込み口先端に細いチューブを多数取り付けた物、又吸い込み口先端に掃除対象物の表面を滑らかに動かせるようローラーを取り付けたものなどがあった。
【発明の開示】
【発明が解決しようとする課題】
【０００３】これらには次のような欠点があった。
（イ）吸い込み口が細いチューブ状のため、粒子の粗いゴミなどは吸い取れず使い勝手が悪かった。
（ロ）いずれも吸い込み口先端の構造が複雑なため、吸い込み口に絡んだペットの毛、毛髪、綿ゴミなどの除去作業が困難であった。
（ハ）いずれも布団、衣類、紙など柔らかな掃除対象物が吸い込み口先端に吸着してしまい、掃除作業がスムーズに行えなかった。
【課題を解決するための手段】
【０００４】  一般に市販されている掃除機に付属している透き間掃除用ノズル▲４▼に取り付けできるようコイル状に作られた取り付け金具▲３▼の延長上に、透き間掃除用ノズル吸い込み口先端▲５▼を覆う掃除対象物押さえガード▲１▼を有し、掃除対象物押さえガード▲１▼の内側に沿うように吸着防止ピン▲２▼を設ける。
本発明は、以上のような構成よりなる掃除対象物吸着防止具である。
【発明の効果】
【０００５】  発明は以上のような構造で、一般に市販されている掃除機に付属する透き間掃除用ノズル▲４▼の吸い込み口先端▲５▼に、コイル状に製作した取り付け金具▲３▼で装着すると、その吸引力を弱める事なく、布団、衣類、紙などの柔らかな掃除対象物に付着したペットの毛、毛髪、綿ぼこりなどを、掃除対象物を吸い込み口先端▲５▼に吸着させずに容易に除去することができる。
【発明を実施するための最良の形態】
【０００６】以下、本案の実施の形態について説明する。
（イ）  透き間掃除用ノズル▲４▼の吸い込み口先端▲５▼に掃除対象物押さえガード▲１▼を設ける。
（ロ）  掃除対象物押さえガード▲１▼の内側に沿うように吸着防止ピン▲２▼を設ける。
（ハ）  掃除対象物押さえガード▲１▼の延長上にコイル状に製作した取り付け金具▲３▼を設ける。
（ニ）  本案を使用するときは、一般掃除機に付属する透き間掃除用ノズル▲４▼の吸い込み口先端▲５▼に、コイル状に製作した取り付け金具▲３▼を差し込むように装着する。すると掃除対象物押さえガード▲１▼とその内側に設けられた吸着防止ピン▲２▼の効果によって、布団、布、紙など柔らかな掃除対象物を指で押さえたのと同じ効果が得られ、掃除対象物を吸着することなく掃除対象物に付着したペットの毛、毛髪、綿ぼこりなどを容易に除去することができる。
尚、本発明品はガードの形状、大きさ、又吸着防止ピンの数を調整することにより吸い込み口の形状にかかわらずその効果が得られる。
【図面の簡単な説明】
【０００７】
【図１】本発明の斜視図である。
【図２】本発明の一部を切り欠いた側面図である。
【図３】本発明の実施例を示す斜視図である。
【符号の説明】
【０００８】▲１▼掃除対象物押さえガード  ▲２▼吸着防止ピン  ▲３▼取り付け金具
▲４▼透き間掃除用ノズル      ▲５▼吸い込み口先端
【図１】
2006280891.tif 000003
【図２】
2006280891.tif 000004
【図３】
2006280891.tif 000005
(57)【要約】【課題】  ネイル、ネイルアートを施している人が携帯電話等の操作をする際にアート部分を傷つけないように、気にせずに操作する物を提供する。また立体アートをしている場合、着脱しやすいように開閉できるようにする。【解決手段】  操作具本体を爪が当たらないように細くしカーブをつけ、下部は安定感を増す為に幅を広くし山型に膨らみを持たせ指の腹側部分だけで操作出来るように施した。また立体アート用に着脱しやすいよう開閉できるようにし、内側部分、リングの先端部分に、滑り止めの合成樹脂等をコーティング加工した。【選択図】  図１
2006280899.tif 000002
【特許請求の範囲】
【請求項１】
手指に、はめるリングで、ネイルアート部分に、操作時リングが触れない形状９の本体と、リングの下側部分に山型の膨らみ８をもたせ、リング本体にネイルアート同様、好みのデザイン５や、装飾物を施せる７ネイルアート用ボタン操作具。
【請求項２】
本体の材質は、ゴム類、貴金属類、プラスチック類、木製類等で形成される。ゴム類以外で形成されたリングは、滑り止めとして、山型に膨らみをつけた部分８やリングの内側に合成樹脂等で、コーティング４した請求項１のネイルアート用ボタン操作具。
【請求項３】
上記請求項１のネイルアート用ボタン操作具を開閉できるように施したネイルアート用ボタン操作具。
【発明の詳細な説明】
【技術分野】
【０００１】  本発明は、ネイルアート用ボタン操作具に関する。
【背景技術】
【０００２】  従来のボタン操作具はリング本体が爪部分にかぶさる、突起物付きリングがある（例えば、特許文献１参照。）。【０００３】  立体アートを施している場合のリングは無かった。
【特許文献１】    特開２００２−２２３８２５号  公報
【発明の開示】
【発明が解決しようとする課題】
【０００４】  従来のボタン操作具はネイル、ネイルアートを施している場合、アート部分にリング本体が当たってしまい、ネイルがはがれたり、傷ついたりまた、立体アートをしている場合には着脱が困難でネイルアートに対しての配慮に欠けていた。【０００５】  本発明は、ネイルアートを施している場合でも、携帯電話等の操作をアート部分等を気にせず操作できるように施したものである。
【課題を解決するための手段】
【０００６】  リング本体の爪が当たる部分は細くしカーブをつけ、操作中爪が当たらないよう施し、下部は安定感を増すように幅を広くし、指の腹側部分だけで操作出来るよう山型に膨らみを特たせ円滑に操作出来るようにした。また立体アートを施している場合、着脱を容易にする為に開閉出来るようにした。
【発明の効果】
【０００７】  上述した様に、ネイルアートを傷つける事の無いように施された本体を装着すると、色々なネイルアートを楽しみながらでも携帯電話等の操作が出来るようになった。
【発明の実施するための最良の形態】
【０００８】  以下、本発明の実施の形態を図１から図６に基づいて説明する。
【０００９】  図１は、本発明のリング本体の斜面図である。図２は図１の正面図である。図３は図１の側面図である。側面から見た場合カーブ９を付けたのが特徴で爪が当たらないよう施した。さらに先端部分８は山型状に膨らみをつけ安定感をつける為に幅を変え、リングの内側部分と先端部分４は滑り止めとして、合成樹脂等でコーティング、加工した。
【００１０】  図３の１，２はリング本体を開閉させる事でアート部分に触れる事無く容易に着脱する事が出来る。
【００１１】  以上のように、本実態形態によればアート部分を気にせずに携帯電話等の操作が容易に出来る物である。
【図面の簡単な説明】
【００１２】
【図１】  ａは本発明のネイルアート用ボタン操作リングの斜面図  ｂは開閉部を設けたリングの斜面図
【図２】  上記リング本体の正面図
【図３】  ｃは右側から見た側面図  ｄは左側から見た側面図
【図４】  上記リング本体を装着したイメージ図
【図５】  図面４と同じ
【図６】  リング本体を着色させたものの例
【符号の説明】
１  リング本体
２  支軸部
３  結合部
４  コーティング部
５  ネイルアートを施したリング例
６  着色したリング例
７  装飾物を施したリング例
８  山型に膨らみをもたせた部分
９  カーブ部分
ａ  開閉部を設けないリング本体
ｂ  開閉部を設けたリング本体
【図１】
2006280899.tif 000003
【図２】
2006280899.tif 000004
【図３】
2006280899.tif 000005
【図４】
2006280899.tif 000006
【図５】
2006280899.tif 000007
【図６】
2006280899.tif 000008
(57)【要約】      （修正有）【課題】浴槽のゴム栓をするのに今までは浴槽の底の排水口まで手を伸して行なったため非常に難儀し苦痛を感じていたがパイプと鎖を使ってゴム栓を排水口に簡單に押し込めるようにする。【解決手段】アルミのパイプ１に鎖２を通し、鎖２の先端のゴム栓取付リング５にゴム栓３を取付け、その鎖２を引張ってゴム栓３とアルミのパイプ１の先端のゴム栓押さえ爪４を密着させそれを排水口７に上から差込めるようにして従来より簡単にゴム栓３を押し込めるようにした。【選択図】図１
2006280895.tif 000002
【特許請求の範囲】
浴槽のゴム栓をする時アルミのパイプと鎖を使って難儀せずに押込める鎖付専用パイプ
【発明の詳細な説明】
【発明の詳細な説明】
【０００１】（発明の属する技術分野）本発明は浴槽のゴム栓をする時難儀苦労せずにアルミのパイプと鎖を使って従来より簡單にゴム栓が押込めるようにしたものである
【０００２】（従来の技術）従来はこのようなものはなかった
【０００３】（発明が解決しようとする課題）従来は浴槽のゴム栓をする時浴槽の中の底まで手を伸して行なうため難儀苦労した特にお年寄や身体の不自由な方小供さん達は危険でもあった本発明はこのような課題を解決するためなされたものである
【０００４】（課題を解決するための手段）アルミパイプ長さ５００ｍｍ直径１２ｍｍ（１）の先端から１０ｍｍの所まで４ツに切り（十字）それをそれぞれ直角に曲げ（４）てゴム栓を押さえやすくするためである。パイプ（１）の直径より小さいリング（５）をゴム栓（３）に取付そのリング（５）に長さ６５０ｍｍの鎖（２）をパイプ（１）の中を通しその先端に取付る。一方鎖（２）の先端をリング（６）に取付け浴槽の上の鎖取付金具のところに取付け、パイプ（１）と鎖（２）が外れないようにするなほ鎖を使用せずにパイプとゴム栓を直接取付けた場合風呂水のゆれや身体が触るなどによってゴム栓がゆるみ水漏の恐れがある
【０００５】（発明の実態の形態）以下本発明の実態について説明する（１）パイプ（１）の中に鎖（２）を入れて先端にゴム栓（３）を取付る（ロ）その鎖（２）を引張りパイプ（１）の先端（４）にゴム栓（３）を密着させる（ハ）密着させたゴム栓と鎖を引張ったまんま排水口（７）の中に入れて上からパイプ（１）で押さえて完予するその後はパイプはそのまゝにしておく
【０００６】（発明の効果）従来は浴槽のゴム栓をする時浴槽の底まで手を伸して行ふたため難儀苦労して居たがパイプと鎖を使って上から簡單に出来るようにしたため苦労せずに楽になった
【図面の簡単な説明】
【図１】本発明の全体の断面図
【図２】鎖を引張りゴム栓をパイプの先端に密着させ排水口に入れやすくする
【図３】排水口にゴム栓を差込み終った状態
【符号の説明】
１  アルミパイプ２  鎖３  ゴム栓４  ゴム栓押さえ爪５  ゴム栓取付リング６  浴槽の金具に取付るリング７  排水口
【図１】
2006280895.tif 000003
【図２】
2006280895.tif 000004
【図３】
2006280895.tif 000005
(57)【要約】【課題】  スポンジとマットを板状の平面につけた、スポンジ付きマットを提供する。【解決手段】  板状の平面上部にスポンジ枠とマットを敷く範囲を設け、スポンジ枠にスポンジをはめ込み、マットを敷く範囲とマットにマッジックテープをつけ、張り合わせることを特徴とするスポンジ付きマットである。【選択図】  図２
2006280870.tif 000002
【特許請求の範囲】
【請求項１】
板状の上部平面に取り外しが可能なスポンジとマットを取り付けることを特徴とするスポンジ付きマット。
【発明の詳細な説明】
【技能分野】
【０００１】  本発明は、板状の上部平面にスポンジとマットを取り付けたスポンジ付きマットに関する物である。
【背景技術】
【０００２】  従来、玄関マットなどがあった。
【発明の開示】
【発明が解決しようとする課題】
【０００３】  そのため次のような問題があった。
（イ）足や靴底などの水気は拭き取れるが、足や靴底などに付着した、泥や砂などの汚れを十分に拭き取れなかった。
（ロ）マットでは除菌剤などを染み込ませて、足を直接除菌することが難しかった。
【課題を解決するための手段】
【０００４】  板状の上部平面に、取り外し可能な、スポンジとマットを取り付ける。
【発明の効果】
【０００５】  足や靴底などに付着した、泥や砂などの汚れ落ちが良くなり、吸水性が高いスポンジは除菌剤を含ませることができるので、直接足を除菌することができるようになった。
【発明を実地するための最良の形態】
【０００６】  以下、本発明の実地の形態について説明する。
（イ）板状の上部平面にスポンジ枠（１）とマットを敷く範囲（２）を設ける。
（ロ）スポンジ枠（１）にスポンジ（３）をはめ込み、マットを敷く範囲（２）とマット（４）をマジックテープ（５）で貼りあわせる。
【図面の簡単な説明】
【０００７】
【図１】  本発明の傾斜図
【図２】  本発明の断面図
【符号の説明】
【０００８】  １  スポンジ枠
２  マットを敷く範囲
３  スポンジ
４  マット
５  マジックテープ
【図１】
2006280870.tif 000003
【図２】
2006280870.tif 000004
(57)【要約】【課題】従来のオセロ（登録商標）やリバーシなどの盤上ゲームに使用されているような薄い円柱形駒では、指先一本で容易に駒を裏返すことが出来なかった。また、駒の動きや意匠も低年齢の子供に愛着や興味を持たれず、知育ゲームとして年齢層の低下を図れなかった。【解決手段】今までの平面的で単純な色合いの駒を球体にすることにより、子供でも複数の駒を簡単に裏返す事ができ、駒の動きの面白さや球面にデザインされたキャラクターにより従来よりも低年齢の子供に愛着や興味を持たせることができる。【選択図】図１
2006280868.tif 000002
【特許請求の範囲】
【請求項１】
形状を球体にする事により、簡単に裏返す事ができるゲーム用の駒。
【請求項２】
球状の駒が回転し易いように盤にも半球上の凹型のへこみを持つ球体駒用のゲーム盤。
【請求項３】
球状の駒が勝手に回転をしないように駒の内部で移動する重心安定用のおもりを持たせた盤上ゲーム用の駒。
【請求項４】
駒が平面でなく、球面を持っているため、子供に人気のあるキャラクターなどで可愛く表現できる球体駒。
【発明の詳細な説明】
【技術分野】
【０００１】  この発明は、ゲームに使用される駒と盤に関する。
【背景技術】
【０００２】  従来のオセロやリバーシのようなゲームの駒は薄い円柱形で何度も駒を指でつまんで裏返すのが面倒であった。簡単に駒を裏返すことができ、駒が盤上でズレたり勝手に回転しないものがあれば便利である。低年齢の子供にも興味のあるキャラクターを指先でなぞるだけで裏返せれば、その動きの面白さとキャラクターへの愛着、興味から知育ゲームとして年齢層を下げることができる。
【発明の開示】
【発明が解決しようとする課題】
【０００３】球状で裏返すのが簡単で駒がズレたり勝手に回転しないゲームの駒を提供することを課題とする。また、球体の面にプリントされた子供向けのキャラクターによって、知育ゲームの年齢層を下げることができる。
【課題を解決するための手段】
【０００４】  以上の課題を解決するために、第一発明は、駒を球状にする事により盤上で簡単に回転させる事ができることを特徴とするゲームの駒である。
第二発明は、ゲームの盤面に駒の直径より少し大きめの半球の凹みを持たせることにより球状の駒が転がり出ないことを特徴とする球体駒用ゲーム盤である。
第三発明は、回転させた駒が安定し、勝手に回らないように重心を安定させるおもりを内部の中空部分に持つことを特徴とした球体駒である。
第四発明は、知育ゲームとして子供に興味と愛着を持たせることにより、低年齢化を図れることを目的としてキャラクターを球面にプリントした球体駒である。
【発明の効果】
【０００５】  第一発明、第二発明および第三発明により、盤上の球体駒を指先一本で簡単に回転し、尚且つ一定の面を上にした状態で停止させておくことができるようになった。
第四発明により、知育ゲームとして対象となる子供の年齢層を下げることができるようになった。
【発明を実施するための最良の形態】
【０００６】  この発明の一実施形態を、図１に示します。
図１は半球の凹みを持つゲーム盤と球体駒を斜視図で、ゲーム盤本体Ａに、たこ焼き器のように半球に凹んだ穴Ｃが並んでいる。Ｂは球体駒の斜視図。Ｄは球体駒にある小さな突起を受ける溝を示している。
図２は盤と駒の断面図でＥは駒の内部が楕円球の中空になっており、中のおもりＨが駒の回転により内部で移動できることを示している。Ｆは球体駒の突起で盤の半球凹みの縁にある溝Ｉで駒を受ける。溝Ｉで球体駒を支えており、盤本体Ｇと球体駒の球面が直接接触しないので駒をスムーズに回転でき、駒にキズを付けたり、プリントされた柄、色等の擦り切れを防げることを示している。
図３は、駒が色分けした基本的なものだけでなく、子供が楽しく、興味を持って遊べるようにプリントされた柄の例を上面図と斜視図として示している。
「実施形態の効果」
この実施形態によれば、球体駒Ｂと盤Ａを使用することにより球体駒が指先だけでスムーズな回転をさせることができ、おもりＨにより不必要な回転を防止できる仕組みになっている。また、溝Ｉに駒の突起Ｆが乗り、駒の球面の損傷や駒の柄の向きが斜めになったり勝手に動いたりすることを防いでいる。【０００７】「他の実施形態」
図１の実施形態では、盤の半球穴のマス目が８行×８列になっているが、他の実施形態としてゲーム内容や子供のレベルに沿った行、列数が違う形態でも良い。
図１の球体駒はＢのように２色に分けられているだけでなく、図４のように３色以上にして、中の楕円球の中空形状を図５のように三角中空Ｗ、四角中空、五角中空もしくはそれ以上に変えることにより３人以上のプレーヤーに対応できる。
図３も球体の表裏二面の図柄を基準にしているが、キャラクターを一個の駒に複数描き、中の中空形状を変えることによって対応できる。
【産業上の利用可能性】
【０００８】子供の知育ゲームとしての販売や、キャラクターグッズとして販売することが考えられる。
【図面の簡単な説明】
【０００９】
【図１】この発明の一実施形態を示す斜視図である。
【図２】この発明の一実施形態を示す断面図である。
【図３】この発明の一実施形態を示す正面図と斜視図である。
【図４】この発明の他の実施形態を示す側面図である。
【図５】この発明の他の実施形態を示す断面図である。
【符号の説明】
【００１０】Ａ、    ゲーム盤本体
Ｂ、    球体駒
Ｃ、    半球型の凹み
Ｄ、    半球体駒の受け溝
Ｅ、    楕円球型の中空
Ｆ、    球体駒の回転軸となる突起
Ｇ、    ゲーム盤本体断面
Ｈ、    球体駒内の重心安定用おもり
Ｉ、    盤上の駒回転軸受け
Ｊ、    球面プリントデザイン例  正面図
Ｋ、    球面プリントデザイン例Ｊの斜視図
Ｌ、    球面プリントデザイン例  正面図
Ｍ、    球面プリントデザイン例Ｍの斜視図
Ｎ、    球面プリントザイン例  正面図
Ｏ、    球面プリントデザイン例Ｎの裏面図
Ｐ、    球面プリントデザイン例  正面図
Ｑ、    球面プリントデザイン例Ｐの裏面図
Ｒ、    球面プリントデザイン例  斜視図
Ｓ、    球面プリントデザイン例  正面図
Ｔ、    球面プリントデザイン例  正面図
Ｕ、    球面プリントデザイン例  斜視図
Ｖ、    色塗り分けの例
Ｗ、    多色塗り分けの場合の中空（３色の場合）
Ｘ、    球体駒内の重心安定用おもり
【図１】
2006280868.tif 000003
【図２】
2006280868.tif 000004
【図３】
2006280868.tif 000005
【図４】
2006280868.tif 000006
【図５】
2006280868.tif 000007
(57)【要約】【課題】最近、朝シャンなど着衣のまま髪を洗うことが多い傾向である。洗面所や流し台で立位でシンクや洗面台に上半身を傾斜させて洗髪する場合に、着衣を濡らさないためには、ケープやタオルを肩に巻く方法しかなかった。しかし、たとえケープやタオルを巻いても、うなじ部分にすすぎの水を十分に流そうとすると水は背面や側面に流れ、着衣を濡らすことなく洗髪するのは至難であった。うなじにも十分に水が流せ、着衣を濡らさずに洗髪が行える、シンプルな器具を供給することを課題とする。【解決手段】着衣での洗髪時に、首の周囲に密着させて直立するドーナツ状の遮水プレート１を設けることで、背面及び側面へ流れようとする洗剤及びすすぎの水をすべてからだの前面へ流し、着衣が濡れるのを防止する。【選択図】図１
2006280878.tif 000002
【特許請求の範囲】
【請求項１】
ゴム素材または合成樹脂からなるプレートの中心部に首を入れる穴を設け、一箇所に開口部３となる開閉構造を設けた概貌ドーナツ状の遮水プレート１が、首の周りに直立して着接することを特徴とする洗髪用防水具。
【請求項２】
開口部３の両端部に面ファスナー２を取り付け、首のサイズに自由に対応し、首への密着固定の調節が可能であることを特徴とする請求項１の洗髪用防水具。
【発明の詳細な説明】
【技術分野】
【０００１】  本願発明は着衣のまま洗髪する際、衣服が濡れるのを防止するために、首の周りに直立して着接する概貌ドーナツ形の遮水プレート１を本体とする、洗髪用防水具に関する。
【背景技術】
【０００２】  従来、洗髪時に衣服にかかる水の防水に関する出願は布帛やビニールによるケープ状または上着または前垂れの形を呈するものであり、面積の広い布状のもので着衣を覆う方法しか、水の濡れを防止する方策はなかった。  以下に、従来の洗髪用防水具の出願番号を列記するが、それらはすべて布帛状のものからなるケープ、上着、前垂れ状のものである。【特許文献１】特開平１１−３１８５６１
【特許文献２】特開２００２−０８５１３３
【実用新案文献１】
実開平６−０３１６０２
【実用新案文献２】
実登３１０３４４５
【実用新案文献３】
実登３０９４５６１  また、帽子のつば状の子供用の洗髪用ハットがあるが、当該考案は装着部位を頭の周りに限るものであり、その課題は入浴時に水や洗剤が目に入り、顔にかかるのを防止するものである。また、すすいだ水がつばの全周囲から流れ落ちるものである。
【発明の開示】
【発明が解決しようとする課題】
【０００３】  従来、洗髪は多く入浴時になされるものであった。しかし、湯沸かし器などの給湯システムの普及や若者のオシャレ感覚の変化により、約１０年前「朝シャン」という社会現象が起こり「超吸水タオル」などの出現でタオル業界などに大きな経済効果をもたらしたが、現在、洗髪は朝に限らずに、出かける前など「ヘアーセット」の一環になっているように思われる。そこで洗髪に関する行動を調べてみると、若者に限らず多くの人がパジャマやトレーナーなどの服を着たまま洗髪をして着衣を濡らしている現状がわかった。そこで、本発明は、着衣での洗髪時に服を濡らさないための、簡便かつシンプルな防水グッズを提供することを課題とする。
【課題を解決するための手段】
【０００４】  以上の課題を解決するために、第１発明は、ゴム素材または合成樹脂からなるプレートの中心部に首を入れる穴を開け、一箇所に開口部３となる開閉構造を設けた概貌ドーナツ状の遮水プレート１が、首の周りに直立して着接することを特徴とする洗髪用防水具である。  また、第２発明は開口部３の両端部に面ファスナー２を取り付け、首のサイズに自由に対応し、しかも首への密着固定の調整を可能にしたことを特徴とする洗髪用防水具である。
【発明の効果】
【０００５】  本願発明は、入浴時ではなく着衣のまま立位で上半身をシンク上などに傾斜させた状態での洗髪時に、本願発明を首の回りに直立して着接することで、着衣が濡れるのを防止するもので、首に直立した遮水プレート１が背面及び側面へ流れ落ちようとする水を遮断し、すべての洗剤、及び、すすいだ水が体の前面へ流れ落ちることで着衣の濡れを防止するものである。【０００６】
【０００６】  この発明により、洗髪時に衣服を濡らしていた多くの人々の不快感を取り除くことが出来る。寒い日にも上半身の服を脱いで洗髪していた人たちにとっても、また、バスタオルなどを使って衣服が濡れないように工夫していた人々にとっても、衣服を濡らさない洗髪が簡単に出来るようになる。現在、洗髪用のグッズは非常に多く販売されているが、生活関連グッズの販売アイテム数で国内でも有数といわれる店においてさえ、着衣での洗髪時に衣服の濡れを防止するグッズはなく、本願発明は、多くの人々の快適な生活に役立つものである。
【発明を実施するための最良の形態】
【０００７】  この発明の一実施形態を図１に示す。  この洗髪用防水具の遮水プレート１は柔軟性を有したゴム、合成ゴム、合成樹脂により構成され、首周りの肌にすき間なく着接されることで、肌を伝う洗剤及び水の浸潤を防止するとともに、首周りに直立する遮水プレート１が、背面及び側面へ流れようとする水をすべて前面に流して、着衣の濡れを防止するものである。  また、全体の形状、デザインは円形に限るものではなく、さらに、遮水プレート１の側面及び後面部の縁部を上方に屈曲させたり（図５）、側面及び後面部の縁部に凸部を設けたり（図６）、側面及び後面部の縁部に水を流すチャネルを設ける（図７）ことで、水を前面下方へより確実に流すことが出来る。  また、この実施形態においては本発明を装着するにあたり、面ファスナー２を使用することで、着脱を容易にするとともに、首の太さに関係なくフリーサイズでの使用を可能にしている。
【図面の簡単な説明】
【０００８】
【図１】本発明の一実施形態にかかる斜視図である。
【図２】図１の面ファスナー２を実施した状態を示す斜視図である。
【図３】図１を装着した様子を示す斜視図である。
【図４】洗髪を行っている使用状態を示す図解的な側面図である。
【図５】遮水プレート１の縁部を屈曲させ壁面４を設けた実施例を示した斜視図である。
【図６】遮水プレート１の縁部に肉厚部５を設けた実施例を示した斜視図である。
【図７】遮水プレート１の縁部にチャネル６を設けた実施例を示した斜視図である。
【符号の説明】
【０００９】１遮水プレート２面ファスナー３開口部４壁面５肉厚部６チャネル
【図１】
2006280878.tif 000003
【図２】
2006280878.tif 000004
【図３】
2006280878.tif 000005
【図４】
2006280878.tif 000006
【図５】
2006280878.tif 000007
【図６】
2006280878.tif 000008
【図７】
2006280878.tif 000009
(57)【要約】      （修正有）【課題】おむつ替えをスムーズに行うための、補助具を提供する。【解決手段】折り目（５）を山折りに、折り目（４）（４）を谷折りにして本体を折り曲げながら、腰周り装着部（２）を赤ちゃんのウエスト部分にあて、支持板（３）（３）を赤ちゃんのおしりの下にすべりこませる。支持板（３）（３）を重ね合わせ、係止具凸部（６）を、係止具凹部（７）にはめ込んで係止する。すると、赤ちゃんの下半身と上半身の間の仕切りが立体的に組み立てられ、赤ちゃんの手が汚れた下半身に届かなくなる。また、使用後は折り目（４）（４）を折って、仕切り板（１）と支持板（３）（３）を重ね合わせ、さらに折り目（５）を折って左右対称に折りたたむと、コンパクトにすることができる。【選択図】図３
2006280875.tif 000002
【特許請求の範囲】
【請求項１】
おむつ替えが必要な赤ちゃんの腰が通る大きさに切り欠いた腰周り装着部を中央下部に形成し、左右対称に折りたたむことができるように中央部に折り目を有した仕切り板と、当該仕切り板を固定することができるように前期仕切り板の左右両下辺に折り目を介して延設され、赤ちゃんの腰から尻部下にかけて差し込んで使用する支持板とからなることを特徴とするおむつ替え補助具。
【発明の詳細な説明】
【技術分野】
【０００１】  本発明は、おむつ替えをスムーズに行うための、補助具に関するものである。
【背景技術】
【０００２】  従来、おむつ替え時に、赤ちゃんの手がおしりに届かないようにするための、ついたて式補助具は販売されていなかった。
【発明の開示】
【発明が解決しようとする課題】
【０００３】  そのために、次のような問題点があった。
（イ）赤ちゃんが、汚れたおしりを触らないように、手足をおさえながらのおむつ替えは大変で、時間もかかった。
（ロ）おむつ替えを嫌がって暴れたり、寝返りしたりするのを防ぐため、色々なおもちゃで赤ちゃんの気をひくのが大変だった。
（ハ）寝返り時、赤ちゃんの着衣や床に、汚物が付いてしまうことがあり、困っていた。
本発明は、これらの問題点を解決するためのものである。
【課題を解決するための手段】
【０００４】    おむつ替えが必要な赤ちゃんの腰が通る大きさに切り欠いた腰周り装着部を中央下部に形成し、左右対称に折りたたむことができるように中央部に折り目を有した仕切り板と、当該仕切り板を固定することができるように前期仕切り板の左右両下辺に折り目を介して延設され、赤ちゃんの腰から尻部下にかけて差し込んで使用する支持板とからなることを特徴とするおむつ替え補助具。
【発明の効果】
【０００５】  （イ）赤ちゃんの手がおしりに届かないため、おしりふきに集中でき、おむつ替えの時間が短縮できる。
（ロ）本発明に、かわいい柄をプリントする等の工夫を施した時には、赤ちゃんが柄に夢中になったり、仕切りに気をとられたりするため、寝返りや機嫌が悪くなるのを一時的に防ぐ効果が期待できる。
（ロ）寝返り時、赤ちゃんの着衣や周辺の床などに、汚物がつきにくい。
（ハ）使用後はコンパクトに折りたためるため、収納や、外出時にも便利である。
（ニ）一枚の板状の素材を切って、係止具を付けた簡単な構造のため、安価で製造できる。
（ホ）抗菌、撥水加工を施したときには、繰り返し洗えて清潔に使用できるため、経済的である。
【発明を実施するための最良の形態】
【０００６】以下、本発明の実施の形態について説明する。
（イ）仕切り板（１）の中央下部に、赤ちゃんの腰が通る大きさで半円状に切り欠いた腰周り装着部（２）を設ける。
（ロ）仕切り板（１）の左右両下辺に折り目（４）（４）を介して、支持板（３）（３）を設ける。
（ハ）支持板（３）（３）に、支持板どうしを係止するための係止具凸部（６）と、係止具凹部（７）を設ける。
（ニ）仕切り板（１）の中央部に、左右対称に折りたたむことができるように折り目（５）をつける。
本発明は以上のような構成で、これを使用するときは、図３に示すように、折り目（５）を山折りに、折り目（４）（４）を谷折りにして本体を折り曲げながら、腰周り装着部（２）を赤ちゃんのウエスト部分にあて、支持板（３）（３）を赤ちゃんのおしりの下にすべりこませる。支持板（３）（３）を重ね合わせ、図６に示すような係止具凸部（６）を、係止具凹部（７）にはめ込んで係止する。すると、図４に示すように赤ちゃんの下半身と上半身の間の仕切りが立体的に組み立てられ、赤ちゃんの手が汚れた下半身に届かなくなる。また、使用後は折り目（４）（４）を折って、仕切り板（１）と支持板（３）（３）を重ね合わせ、さらに折り目（５）を折って左右対称に折りたたむと、図５に示すようにコンパクトにすることができる。
【図面の簡単な説明】
【０００７】
【図１】本発明の展開図
【図２】本発明の組み立て時の斜視図
【図３】本発明の装着方法を示す斜視図
【図４】本発明の使用状態を示す斜視図
【図５】本発明の折りたたんだ状態を示す図
【図６】本発明の支持板を係止する係止具の断面図
【符号の説明】
【０００８】  １  仕切り板
２  腰周り装着部
３  支持板
４  折り目
５  折り目
６  係止具凸部
７  係止具凹部
【図１】
2006280875.tif 000003
【図２】
2006280875.tif 000004
【図３】
2006280875.tif 000005
【図４】
2006280875.tif 000006
【図５】
2006280875.tif 000007
【図６】
2006280875.tif 000008
(57)【要約】      （修正有）【課題】トイレットペーパーホルダーではペーパー引き出し時に塵が舞い、鼻、のど、気管、目等に入り、花粉症の原因であったが、これを解決することができる装置を提供する。【解決手段】トイレットペーパーホルダーを囲う箱型１に塵が飛び散らないようにふた２をつけ掃除機で塵を吸い取る吸い口３を設けた。【選択図】  図１
2006280874.tif 000002
【特許請求の範囲】
【請求項１】
トイレットペーパー指示器を囲うように、箱型（１）に稼動のきくふた（２）を設け上部に掃除機で吸う、吸い口（３）を設けた、トレペ集塵口。
【発明の詳細な説明】
【発明の詳細な説明】
この発明は稼動する蓋のついた箱型のものの上部に掃除機で吸う、吸い口を設けたトレペ集塵口である。
従来のトイレットペーパーの取り付け物だけでは、ペーパーを引き出すたびにトイレットペーパーの紙の塵が舞い、鼻、のど、気管、目、に入りその部位の免疫力を下げ花粉症の原因になっていたと思われる。
本発明は、その花粉症の原因と思われるトイレットペーパーの紙の塵を吸い取り、鼻、のど、気管、め、に入らないように集塵する口を設け、その原因を取り除き解決したものである。
（イ）トイレットペーパー指示器を囲う箱型のものを設けた。
（ロ）その箱の前を上下する蓋を設けた。
（ハ）トイレットペーパーを引き出すときに舞い出る塵を掃除機で吸う吸い口を上部に設けた。
本発明は、このような簡単な方法で花粉症の原因と思われる問題を、解決したものである。
【図面の簡単な説明】
【図１】本発明トレペ集塵口の正面図
【図２】本発明トレペ集塵口側面図
【図３】本発明トレペ集塵口使用時斜視図
【符号の説明】
１は箱型
２はふた
３は吸い口
【図１】
2006280874.tif 000003
【図２】
2006280874.tif 000004
【図３】
2006280874.tif 000005
(57)【要約】【課題】嵩張り、収納に困るが再利用の用途の豊富な買い物袋を時間や場所を使わずに簡単に最小化する。本発明はあくまで名の通りクリップである為、安価で簡単な使用方法である必要があり、私個人の考えとしては洗濯ばさみ程度の感覚で家事の当たり前の用具となってほしいと考えます。主婦のバッグには大抵携帯されているという風にです。そうすれば外出先での急な荷物やゴミ対策にもなります。またそれには見た目のかわいらしさや楽しさが要求されるので色、柄、材質も範囲は広いと考えます。まだまだ本発明の基本型から、折りたたみを多くする等改善の余地はあると思います。【解決手段】２本の棒に袋を引っ掛けて板をハンドルにして巻き取り、板をたたんでばらけないように押さえてコンパクト化してしまう。【選択図】図１
2006280871.tif 000002
【特許請求の範囲】
【請求項１】
片側は２本の棒（１）（２）、もう片側は板（３）、それを繋ぐ部分が折れ曲がり部分（４）となる形の買い物袋巻取りクリップ。
【請求項２】
２本の棒（１）（２）を買い物袋の底辺の両端のマチ（５）（６）にそれぞれを差込み、固定し、板型（３）は折れ曲がり部分（４）が開かれた状態の時は巻き込む為のハンドル、閉じた時は巻き終わりの先を止めるふたの役割をする請求項１の買い物袋巻取りクリップ。
【発明の詳細な説明】
【技術分野】
【０００１】本発明はスーパー等で貰う袋を最小化し収納の便利化、次回使用目的に対応するものである。
【背景技術】
【０００２】テーブル等で綺麗に広げて小さく折り畳むか、ごみ袋スタンドに取り付けてごみ箱変わりに再利用する等がある。
【発明の開示】
【発明が解決しようとする課題】
【０００３】解決しようとする問題点は、持ち帰った時点で嵩張り、折りたたむには場所と時間が必要であるが後の用途が豊富な為、捨てるのがもったいない。
このような欠点を解決するためである。
【課題を解決するための手段】
【０００４】２本の棒（１）（２）とハンドル兼ふたになる板（３）で袋を巻き込んで折れ曲がり部分（４）を曲げて巻き終わりの先がほどけないように、ふたで抑えてしまえばとても小さくなる。
【発明の効果】
【０００５】本発明のクリップは場所を使わず宙で最小化出来るので簡単な上、すぐ収納してしまえるので家事時間の短縮になる。さらに再利用もコンパクトなので持ち歩くのに便利、例えばハイキング、子供の遠足、買い物、犬の散歩等である。本品そのものもバッグに入れておけば外出先でもすぐ使えるので袋を捨てずに持ち帰える事ができ、外出先でのごみ対策も解決できる。
【発明を実施するための最良の形態】
【０００６】本品を開いた状態で２本の棒（１）（２）を袋の底の両端のマチ（５）（６）にそれぞれに差込み、（３）のハンドル兼ふたを回転させしっかり巻き込む。最後に（４）の部分を折り曲げて板（３）でほどけないように固定する。
【実施例１】
【０００７】閉じる際は、巻かれた袋の厚みが生じるので、棒（１）（２）と板（３）の間は予め隙間が必要。それは（４）の折れ曲がりの部分でとる。
【実施例２】
【０００８】材質は広範囲だが、私個人としてはプラスチック製で安価な方が良いと思います。
【産業上の利用可能性】
【０００９】この袋のない家庭はほとんどなく、この様な形態に出来ることで再利用方法が増え家事の時間短縮やごみ対策にも繋がる。
【図面の簡単な説明】
【００１０】
【図１】本発明の開いた時の図である。
【図２】本発明のたたんだ状態の横図。何も行わない時と目的を実行した後。
【図３】本発明の目的となる袋の形態の説明。底の両側にはマチがある。
【図４】マチの部分に棒（１）（２）をそれぞれ指した様子。棒の長さ以上の分は折り曲げておく事で常に同じ長さをたもてるという説明図。
【符号の説明】
【００１１】１  棒
２  棒
３  板（ハンドル兼ふた）
４  折れ曲がり部分
５  マチ
６  マチ
【図１】
2006280871.tif 000003
【図２】
2006280871.tif 000004
【図３】
2006280871.tif 000005
【図４】
2006280871.tif 000006
(57)【要約】【課題】  前傾姿勢や胸元の開いた被服を着ていても下着等を見えにくくし、アクセサリーとしても楽しめるものを目的とする。【解決手段】  下着等と被服を留めることで、前傾姿勢になっても肌着等が見えにくくなり、本体にメッキ加工を施したものや装飾物をつける事によりアクセサリーとしても使えるようにした。湾曲部６は挟んだ際、衣類に型がついたり、傷つくのを防ぐ為に施した。【選択図】  図１
2006280881.tif 000002
【特許請求の範囲】
【請求項１】
洋服と下着を挟むクリップで服や下着を傷つけないように湾曲部６を設け、取り外し可能な装飾物５をつけることによりアクセサリーとしても使う事ができるエチケットクリップ。
【請求項２】
本体の材質は金属製、プラスチック製、それら材質にメッキ加工を施したものや木製類などで形成されているエチケットクリップ。
【発明の詳細な説明】
【技術分野】
【０００１】  本発明は下着等を被服と留めることで下着等の露出を軽減させる為の装飾具に関する。
【背景技術】
【０００２】  従来ブローチ等アクセサリーとして被服につける物はあったが、下着等を見えにくくするための装飾具はなかった。
【発明の開示】
【０００３】  下着等を見えにくくする為の装飾具が無かった為、前傾姿勢や胸元の開いた衣類等を着た場合には下着等が見えてしまい嫌悪感を与えたり、感じたりした。
【０００４】  本発明は下着等を見えにくくし、かつアクセサリーとしても使える物を目的とする。
【課題を解決するための手段】
【０００５】  下着等と被服を留めることで下着自体が見えにくくなるので、取り外しやすいようにクリップ、ピン等で挟んで留めるようにした。
【発明の効果】
【０００６】  前傾姿勢や胸元の開いた服などでもクリップ等で留める事によって肌着が見えにくくなった。これにより嫌悪感を与えたり、感じる事が減り盗撮予防にもなる。さらに着脱可能な装飾物５を付加した事で、アクセサリーとしておしゃれも楽しめるようになった。
【発明を実施するための最良の形態】
【０００７】  以下、本発明の実施の形態を図１から図４に基づいて説明する。【０００８】  図１は本発明の斜面図である。図２は正面図である。図３は側面図である。湾曲部６を施した事により、被服等に型がつきにくくなり、傷つけにくくした。【０００９】  図１，２，３の装飾物５はお好みで色々付け替えたり、はずしたり出来るよう着脱可能にした。【００１０】  図１，３は肌があたる部分、被服を挟む部分７をゴム類等合成樹脂４でコーティング加工した。これにより肌に触れたとき感じる金属等の冷たさを防止し、被服を挟む部分７にも付加４し外れにくいよう施した。
【図面の簡単な説明】
【００１１】
【図１】    本発明の本体斜面図である。
【図２】    図１の正面図である。
【図３】    図１の側面図である。
【図４】    図１の装着イメージ図である。
【符号の説明】
１  本体クリップ
２  接続部
３  バネ
４  合成樹脂等
５  着脱用装飾物
６  湾曲部
７  先端部
【図１】
2006280881.tif 000003
【図２】
2006280881.tif 000004
【図３】
2006280881.tif 000005
【図４】
2006280881.tif 000006
(57)【要約】      （修正有）【課題】  手の届かない部位に痒みを生じた際、安楽に掻く為の用具を提供する。【解決手段】  外側の部分となる断面が楕円形の筒状の棒３を、緩やかなＬ字型の形状になっており、先端はＬ字型の内側に開口部Ｂを有し、一方にブラシ１と他方にハンドル４を装着した棒状の板２を挿入し、筒状の棒３の切断面Ａから出したハンドル４を筒状の棒３から出し入れすることにより、ブラシ１を連動させて掻痒部を掻くことのできる背中掻き補助具。【選択図】  図１
2006280882.tif 000002
【特許請求の範囲】
【請求項１】
筒状の棒の中に、先端にブラシともう一方にハンドルを装着した棒状の板を設置し、ハンドルを筒状の棒から出し入れすることにより、ブラシを連動させて掻痒部を掻くことのできる背中掻き補助具。
【発明の詳細な説明】
【技術分野】
【０００１】  本発明は、手の届かない部位に痒みを生じた際に、安楽に掻く為の背中掻き補助具に関するものである。
【背景技術】
【０００２】  従来、背中などの痒みに関しては、片方の先端が湾曲した棒状のものが使用されていた。
【発明の開示】
【発明が解決しようとする課題】
【０００３】  そのために、次のような問題点があった。
従来の物は、それを持った手・腕を上へ挙げ、ある程度背中へ回さなければ、湾曲部を掻痒部に設置させることができない。また、手・腕を上へ挙げた状態での上下運動も必要であった。しかし、これは高齢者等体の動きに制限がある場合、困難を生じることも多い。
本発明は以上の問題点を解決しようとするものである。
【課題を解決するための手段】
【０００４】  外側は楕円型の筒からなり、緩やかなＬ字のカーブを描く棒（３）であり、その筒状の棒（３）の先端の一方は切り離しの状態（Ａ）、もう一方はＬ字のカーブの内側が一部開口（Ｂ）した状態である。その筒状の棒（３）の内部に、しなりのある棒状の板（２）を設ける。
棒状の板（２）の一方の先端には、ブラシ（１）が設置されており、筒状の棒（３）の開口部（Ｂ）より出ている状態である。反対側は筒状の棒（３）の切り離し面（Ａ）より外へ伸び、その先にハンドル（４）が装着されている。このハンドル（４）を握り、筒状の棒（３）から棒状の板（２）を出し入れし、ブラシ（１）を連動させることで、ブラシ（１）に接する掻痒部を掻くことを特徴とする背中掻き補助具である。
【発明の効果】
【０００５】  本発明は、ブラシ（１）を背中の掻痒部にあて、もう一方のハンドル（４）を胸元で持ち、筒状の棒（３）より棒状の板（２）を出し入れすることにより、ブラシ（１）を動かすことができる。したがって、手を胸元においた楽な姿勢のままで、背中の掻痒部を、効果的に掻くことが可能である。
【発明を実施するための最良の形態】
【０００６】以下、本発明の実施の形態を説明する。
（イ）外側の部分となる楕円型の筒状の棒（３）は、緩やかなＬ字型の形状になっており、先端の一方はＬ字型の内側が開口（Ｂ）し、もう一方は直角に切断（Ａ）された状態である。
（ロ）内側の部分となるのは、筒状の棒（３）に納まる巾の、棒状の板（２）である。その先端の一方にはブラシ（１）が設置され、もう一方にはハンドル（４）が設置されている。
（ハ）外側の筒状の棒（３）の中に、棒状の板（２）が挿入されている。棒状の板（２）の先端ブラシ（１）は、筒状の棒（３）の開口部（Ｂ）から出ている。棒状の板（２）のハンドル（４）は、筒状の棒（３）の切断面（Ａ）から出た棒状の板（２）の先に設置されている。
本発明は、以上の構成よりなっている。
筒状の棒（３）は、棒状の板（２）のレールの役目を果たし、棒状の板（２）は筒状の棒（３）の中を、Ｌ字の形状に沿って滑らかに移動する。ブラシ（１）は、筒状の棒（３）の開口部（Ｂ）に設置され、同じく筒状の棒（３）をレールとし、棒状の板（２）に誘導されながら、開口部（Ｂ）内を移動する。
本発明を使用するときは、Ｌ字型の筒状の棒（３）を肩に掛ける。
ブラシ（１）を、背中の掻痒部にあてる。  掛けた肩の方の手でハンドル（４）を握る。もう一方の手で、筒状の棒（３）を軽く待ち、掻痒部にあたるブラシ（１）部を微調整しながら、ハンドル（４）を筒状の棒（３）より出し入れする。  この結果、ハンドル（４）につながるブラシ（１）が、筒状の棒（３）の開口部（Ｂ）内を移動し、ブラシ（１）のあたる部分を掻くことができる。
【図面の簡単な説明】
【０００７】
【図１】  本発明の斜視図
【図２】  本発明のブラシ（１）部の縦断面図
【図３】  本発明のブラシ（１）部と本体部の横断面図
【図４】  本発明の使用状態を示す斜視図
【符号の説明】
【０００８】１、ブラシ
２、棒状の板
３、筒状の棒
４、ハンドル
Ａ、切り離し面（切断面）
Ｂ、開口部
【図１】
2006280882.tif 000003
【図２】
2006280882.tif 000004
【図３】
2006280882.tif 000005
【図４】
2006280882.tif 000006
(57)【要約】【課題】  汗をよく吸収し、悪臭や水虫に悩まされることがない中敷き。【解決手段】  紙製品であるから汗をよく吸収する。悪臭や水虫に悩むことがない。  紙および段ボ−ルでできるため地球環境にやさしい。  紙の表面に印刷をすれば見た目もきれいで丈夫になる。【選択図】  図１
2006280888.tif 000002
【特許請求の範囲】
紙および段ボ−ルを利用してつくる中敷き。
【発明の詳細な説明】
【発明の詳細な説明】
この発明は、地球環境にやさしく、足にもやさしい、紙および段ボ−ルでつくる中敷きである。
これまでの中敷きは、長い時間靴をはき続けると靴下や指の股が汗でじめじめとしてきて気持ち悪く、悪臭と水虫に悩まされることがたびたびあった。その結果、病院に通うことも少なくなかった。
本発明の中敷きは、紙および段ボ−ルでつくることで紙が汗を吸収し、靴下や指の股がじめじめすることがない。悪臭と水虫に悩まされることもなくなった。保温性もあり冬も快適である。
【図面の簡単な説明】
【図１】  本発明の斜視図
【符号の説明】
１は表面    ２は中面    ３は底面    ４は波型の紙
【図１】
2006280888.tif 000003
(57)【要約】【課題】現在では、トイレでのロール紙のトイレットペーパーの普及が大半を占めています。しかし、トイレットペーパーの切断・折りたたみなど使用前に両手を使っての作業が発生しています。一般の人にはごく普通の作業として行われていることが、幼児・老人・身障者の方には大変不便で困難な作業となっています。そこでロール紙を誰にでも簡単に使用可能な状態にして裁断し、尚かつ、紙の節約も可能とする。【解決手段】トイレットペーパー（ロール紙）をコの字型のバーの間に通し、２０ｃｍ以上下に引き出し、手動でハンドルを廻ししてロール紙を巻き取る。任意の厚さに巻き取ったならばトイレットペーパー取付器のフタを押さえてトイレットペーパーの移動を停止させハンドルを廻すことによりミシン目から切り離れる、使用目的に合った巾・厚みの状態のペーパーを得る事が出来ます、横からはずし使用する。【選択図】図４
2006280889.tif 000002
【特許請求の範囲】
【請求項１】
ロール状に巻かれたトイレットペーパーを、コの字型のバーを手動で回転させ巻き付け、切断し手動用ハンドルの反対側より横方向に抜き取る装置。
【発明の詳細な説明】
【技術分野】
【０００１】本発明は、ロール状に巻かれたトイレットペーパーを簡単に巻き取り、切断、折りたたむ方法に関するものである。
【背景技術】
【０００２】現在は、トイレットペーパー（ロール紙）を手で引出して巻、ふたを押さえて切り取り使用する
【発明の開示】
【発明が解決しようとする課題】
【０００３】ロール紙を引き出した紙が下に付かないようにたたみながら引き出す。勢いがつくと無駄に引き出してしまう。【０００４】ロール紙を切断するのに、トイレットペーパー取付器の上からロール紙を押さえて切るため、両手での作業になる。【０００５】綺麗に紙をたためず、丸めたようになり無駄になる。【０００６】一般の人には普通の作業として行われたことが、幼児・老人・身障者などが不便に感じている。
【課題を解決するための手段】
【０００７】本発明はトイレットペーパー（ロール紙）の使用を簡単にし、綺麗に必要な分だけ折りたたみ取得出来ることを目的とする。
上記目的達成するために、本発明の巻き取り式トイレットペーパー裁断機においては、ロール紙をコの字型のバーの間に通し手動でハンドルを回し回転させ巻き取る。トイレットペーパー取付器本体のフタ部分を押すことでペーパーの動きを止め切断する。バーよりロール紙を外し使用する。
【発明の効果】
【０００８】本発明の巻き取り式トイレットペーパー裁断機は、幼児・老人・障害者・誰でも簡単に使用できます。又、トイレットペーパーの節約にもなりトイレが楽しくなります。尚、本体は簡単な構造で故障もなく製作費も安価で提供てきます。現在普及しているトイレットペーパー取付器の下に取付るだけなので設置も簡単である。
【発明を実施するための最良の形態】
【０００９】発明の実施の形態を図面を参照して説明する。
〔図１〕は、巻き取りトイレットペーパー裁断機の取付台座・支柱部分の平面図と側面図です。台座はトイレットペーパー取付器の下１０ｃｍ位の位置にビスにてしっかりと固定する。台座には左・右に６ヶ所ビス用穴がありビスを使って壁面に取付る。台座の中央部分には支柱の底部がピタリと納まる巾・深さ・長さの支柱取付溝があり中央には支柱を固定するための１本のボルトが取付てありチョウネジにて開閉して支柱を自在に取付することが出来る。支柱は側面から見るとＬ字型をしている。支柱底部は台座の中央部分にある取付溝の長さより３ｃｍ短く左右に３ｃｍの範囲でスライド可能である。又、支柱の位置は左右どちら側でも使用者の便利で使い易い向きで固定できる。支柱部の上端には手動ハンドルを取付る穴があり１５ｍｍの内筒状のハンドル固定支持穴がある。１５ｍｍのパイプ状の中をハンドル先端部分が通って巻取りバーを取付るためハンドルが安定していてガタツキがない。【００１０】〔図２〕は、トイレットペーパーの巻取り部分です。下図の分解図の様にＬ字形の２枚の巻取りバーを組合せてペーパーの希望の巾の間隔を決めます。バーには巻取り巾調整用の４ｃｍの長方形の穴があけてあり、その先端部分の穴にピタリと入るサイズの凸部が出ている。この凸部が互いの穴部に入ってガイドするため２本のバーは常に平行を保っている。又、ハンドルの巻取りバーの取付部分はバーのスライド穴にピッタリ入る４角形の軸部分とチョウネジを取付る丸いボード部分からなっていて、巻取りバー２枚分の厚みの４角形の軸部分が巻取りバーの穴にピタリと納まりバーを回転させるための軸となっている。【００１１】〔図３〕は巻取り式トイレットペーパー裁断機です。まず、台座には１本のチョウネジで左右にスライドしてペーパーが最も自然に巻取り出来る位置で固定します。その時ハンドル位置も左右好きな向きに振り換えて取付出来る。巻取りバーは巻取り巾調整チョウネジをゆるめて任意の巾に調整してペーパーの巾を決定し、チョウネジを締めて固定する。尚、バーは基部は広く先端部は細くなっているためペーパーを取り出すのにスムーズに取り出すことが出来る構造になっている。【００１２】〔図４〕は実際に使用する方法を図で示したものである。ペーパーを引出しコの字型のバーの中をペーパーを通し２０ｃｍ以上引出します。トイレットペーパー取付器とペーパー裁断機の取付間隔は１０ｃｍ位下に裁断機を取付ます。あまり狭いと、ロール状のペーパーを取付器にセットするのに障害となる。又、ペーパーは裁断機の２本のバーの間を通して２０ｃｍ以上下に引き下げる、あとはハンドルを内廻し・外廻しどちらでも回転させるだけで任意の厚みの使用サイズのペーパーを巻き取ることが出来る。【００１３】〔図５〕は巻取りハンドルを手で回し（回転方向はどちらの方向でも良い）ロール紙を巻き付け（ハンドルは左右どちらでも振替できます）トイレットペーパー取付器のフタの部分を押してペーパーの動きを止めてミシン目より切れた状態です。（ミシン目が無いトイレットペーパーでも中間部分より切れます）バーより引き出し使用する。
【図面の簡単な説明】
【００１４】
【図１】取付台座
【図２】巻取りバーとハンドル
【図３】巻取り式トイレットペーパー裁断機
【図４】巻取り式トイレットペーパー裁断機の使用方法図
【図５】巻取り式トイレットペーパー裁断機での巻き取り切り離した状態図
【符号の説明】
【００１５】  ア  支柱固定用ボルト
イ  支柱固定用チョウネジ
ウ  台座取付ネジ
エ  支柱固定ボルト用穴
オ  ハンドル取付支柱部分
カ  支柱安定補助部分
キ  巻取りバー
ク  チョウネジ
ケ  座金
コ  手動ハンドル
サ  組合せ安定凸部分
シ  回転軸口径部分
【図１】
2006280889.tif 000003
【図２】
2006280889.tif 000004
【図３】
2006280889.tif 000005
【図４】
2006280889.tif 000006
【図５】
2006280889.tif 000007